(57)【要約】　　　（修正有）【課題】現場での使用頻度の高いカタログ、取扱い説明書あるいは仕様書等の印刷物を、簡便に保管できるようにすること。【解決手段】所定の表示内容が印刷されたシート体４が複数枚綴じ込まれた印刷物本体の表紙に、被吸着物の磁性部分へ吸着可能な磁力吸着部を有する磁力吸着機能付き印刷物１を提供する。【効果】磁力吸着機能付き印刷物によれば、被吸着物の磁性部分、例えば機械装置の金属製フレーム、ボディ等に磁力吸着部を吸着させて印刷物本体を貼り付けておくことができる。従って、印刷物を、この印刷物に関わる被吸着物に貼り付けて保管しておくことができる。【選択図】　　図１
0003098556.tif 000002
【実用新案登録請求の範囲】
【請求項１】
所定の表示内容が印刷されたシート体が複数枚綴じ込まれた印刷物本体の表紙に、被吸着物の磁性部分へ吸着可能な磁力吸着部を有することを特徴とする磁力吸着機能付き印刷物。
【請求項２】
所定の表示内容が印刷されたシート体が複数枚綴じ込まれた印刷物本体の表紙に、被吸着物の磁性部分へ吸着可能な磁力吸着部を有し、
前記磁力吸着部が、印刷物本体の表紙に貼り付けられた磁性シートであることを特徴とする磁力吸着機能付き印刷物。
【請求項３】
所定の表示内容が印刷されたシート体が複数枚綴じ込まれた印刷物本体の表紙に、被吸着物の磁性部分へ吸着可能な磁力吸着部を有し、
前記磁力吸着部が、磁性シートからなる印刷物本体の表紙であることを特徴とする磁力吸着機能付き印刷物。
【請求項４】
所定の表示内容が印刷されたシート体が複数枚綴じ込まれた印刷物本体の表紙に、被吸着物の磁性部分へ吸着可能な磁力吸着部を有し、
前記磁力吸着部が、印刷物本体の表紙に貼り付けられた磁性シートであり、
前記印刷物本体が、カタログ、取扱い説明書あるいは仕様書のいずれかであることを特徴とする磁力吸着機能付き印刷物。
【請求項５】
所定の表示内容が印刷されたシート体が複数枚綴じ込まれた印刷物本体の表紙に、被吸着物の磁性部分へ吸着可能な磁力吸着部を有し、
前記磁力吸着部が、磁性シートからなる印刷物本体の表紙であり、
前記印刷物本体が、カタログ、取扱い説明書あるいは仕様書のいずれかであることを特徴とする磁力吸着機能付き印刷物。
【考案の詳細な説明】
【０００１】
【考案の属する技術分野】
本考案は、磁力吸着機能付き印刷物に関し、さらに詳しくは、カタログ、取扱い説明書あるいは仕様書等の印刷物の保管対策に関する。
【０００２】
【従来の技術】
カタログ、取扱い説明書あるいは仕様書等の印刷物は、キャビネットや机上などの所定の保管場所に保管され、必要時にその都度持ち出されることが一般的である。しかし、例えば工場にて機械装置を運転するに際して取扱い説明書が必要であるなど、使用頻度が高い場合は、例えばその機械装置の周辺の壁や柱等にフックを設け、印刷物に取り付けた紐の輪を機械装置の突起部分や壁のフックに引っ掛けて使用後の印刷物を所定の位置に戻すというなことをしている場合もある。
【０００３】
【考案が解決しようとする課題】
しかしながら、上述のように工場内の所定位置にフックを設けたとしても、作業終了時あるいは作業の合間に作業者が取扱い説明書を所定位置に戻さずに機械装置やその他の物の上に置くことがある。機械装置の上に取扱い説明書を置いたのであれば次に使うときに直ぐに目に付くが、その他の物の上に置いた場合には置き場所を忘れて探し回るというようなことが起こり得る。また、機械装置によっては、取扱い説明書を置けるような水平面がない装置や、作業の関係上物を置いてはいけない装置もあり、その場合は周辺に取扱い説明書を置いてしまい、上記と同様に探し回ることもあり得る。
【０００４】
本考案の主とする目的の１つは、現場での使用頻度の高いカタログ、取扱い説明書あるいは仕様書等の印刷物を、簡便に保管することができる磁力吸着機能付き印刷物を提供することにある。
【０００５】
【課題を解決するための手段】
かくして、本考案によれば、所定の表示内容が印刷されたシート体が複数枚綴じ込まれた印刷物本体の表紙に、被吸着物の磁性部分へ吸着可能な磁力吸着部を有する磁力吸着機能付き印刷物が提供される。
【０００６】
本考案の磁力吸着機能付き印刷物によれば、被吸着物の磁性部分、例えば機械装置の金属製フレーム、ボディ、ケーシング等に磁力吸着部を吸着させて印刷物本体を貼り付けておくことができる。したがって、印刷物を、この印刷物に関わる被吸着物に貼り付けて保管しておくことができる。例えば、印刷物本体が各種フィルムのカタログである場合には、対象とする被吸着物を印刷装置やラミネート装置等の機械装置とすることができ、このような場合には不使用時にカタログを機械装置の金属製フレーム、ボディあるいはケーシングに貼り付けて保管し、作業時には印刷物を機会装置から容易に取り外して使用することができ、カタログ（印刷物）の持ち出し・保管が簡便であり、かつ置き忘れによる紛失を防止することができる。また、作業後にわざわざ別の場所にカタログを戻す手間もかからない。また、カタログの保管場所を作業場とすることができるので、カタログの使用時、不使用時の管理が容易となり、特に、１つのカタログを複数の作業者が共有する場合には紛失防止に有効である。
【０００７】
ここで、本考案において、シート体としては例えば紙、プラスチックシート、紙をプラスチックフィルムでコーティングした積層シート等が挙げられるが、これらに限定されるものではない。
また、本考案において、印刷物本体は、表紙を含めた複数枚のシートが従来公知の方法により綴じ込まれたものであって、例えば上記カタログの他に、取扱い説明書あるいは仕様書等が挙げられる。また、被吸着物としては、カタログ取扱い説明書あるいは仕様書等の印刷物に関わる物、例えば印刷物本体が各種ラミネートフィルムのカタログあるいは取扱い説明書、仕様書の場合には、印刷装置、ラミネート装置、ラミネートフィルム製造装置などを挙げることができるが、吸着物は磁性部分を有する物であればこれらの機械装置に限定されず、例えば磁性を有する金属プレートを付設した壁、柱、ホワイトボード等であってもよい。
【０００８】
本考案の磁力吸着機能付き印刷物は、以下の▲１▼▲２▼の具体構成を採用することができる。
▲１▼磁力吸着部を、印刷物本体の表紙に貼り付けられた磁性シートから構成する。この場合、既存の印刷物本体を使用することができるので、低コストにて磁力吸着機能付き印刷物を作製することができる。また、磁性シートを貼り付ける表紙としては裏表紙が好ましく、それにより印刷物を被吸着物に吸着させた際に表て表紙を見えるようにできるが、磁性シートを表て表紙に貼り付けてもよく、あるいは表裏両方の表紙に貼り付けてもよい。なお、磁性シートの大きさ、形、貼付位置は特に限定されるものではなく、印刷物本体を被吸着物に吸着させ得る吸着力が確保される程度、好ましくは被吸着物の略垂直な吸着面に吸着させ得る吸着力が確保される程度であればよい。
▲２▼磁力吸着部を、磁性シートからなる印刷物本体の表紙から構成する。この場合、磁性シートからなる表紙の表面に表示内容を印刷しても表示部分を隠すことがなく、かつ表面に段差が形成されないため意匠的に優れたものとなる。また、磁性シートからなる表紙は、裏表紙に適用するのが好ましいが、表て表紙に適用してもよく、あるいは表裏両方の表紙に適用してもよい。なお、磁性シートは、市販のものを使用することができる。
【０００９】
また、本考案において、印刷物本体が、複数枚のシート体を綴じ込む綴じ込み具を備えたものである場合、この綴じ込み具を磁力を有する材質（例えば磁石）から構成してもよい。このようにすれば、磁力吸着部の磁力を綴じ込み具の磁力にて補うことができ、より吸着力の強い磁力吸着機能付き印刷物を得ることができる。
【００１０】
【考案の実施の形態】
以下、本考案に係る磁力吸着機能付き印刷物の実施の形態を図面に基づいて詳説する。なお、本考案は実施の形態に限定されるものではない。
【００１１】
［実施の形態１］
図１は本考案の磁力吸着機能付き印刷物の実施の形態１を裏面側から見た斜視図であり、図２は同実施の形態１の磁力吸着機能付き印刷物をラミネート装置に吸着させた状態を示す正面図である。
【００１２】
この実施の形態１の磁力吸着機能付き印刷物１は、表て表紙２及び裏表紙３を有すると共に、両表紙２、３及びこれらの間の複数枚のシート体４、４、…を綴じ込む１対の綴じ込み具５、５を有する矩形状の印刷物本体６と、印刷物本体６の裏表紙３に設けられた磁力を有する磁力吸着部とから構成され、磁力吸着部は裏表紙３の表面に接着剤にて貼り付けられた矩形状の磁性シート７からなる。なお、本実施の形態１では、複数枚のシート体４が各種ラミネートフィルムからなるカタログの場合を例示している。
【００１３】
印刷物本体６において、綴じ込み具５は、雄ネジ部を有する凸形の第１部材と、雌ネジ部を有する凸形の第２部材からなり、両表紙２、３及び複数枚のシート体４を貫通する慣通孔に第１部材の雄ネジ部と第２部材の雌ネジ部を挿入して相互に螺合連結させることにより、両表紙２、３及び複数枚のシート体４を一体に綴じ込む。
【００１４】
磁性シート７は、裏表紙３の幅と略等しい長さの長方形であり、裏表紙３の表面に突出した上記綴じ込み具５、５の近傍位置に貼り付けられている。したがって、裏表紙３の表面における磁性シート７が被覆されない部分に、裏表紙３の作製時に、会社名、所在地、電話番号、Ｅメールアドレス等の所望の表示内容を予め印刷し、表示することができる。なお、表て表紙２の表面には、磁性シート７が存在しないので、略全面に所望のデザインや文字等の表示内容を印刷して表示することができる。
【００１５】
図２に示すラミネート装置４０は、例えば印刷されたプラスチックシートの印刷面を所定のラミネートフィルムにて被覆するためのものであり、上下１対のロール４１、４２と、上下１対のロール４１、４２の各両端を回転可能に保持する磁性を有する金属製フレーム４３とを備えている。
【００１６】
このようなラミネート装置４０を用いてラミネート作業を行う前に、例えば、予めカタログを参照して選択したラミネートフィルムと、現場で用意した実際に使用するラミネートフィルムとが一致しているかを確認するため、あるいは現場に搬送されたプラスチックシートにどのラミネートフィルムを使用すべきかをカタログで判断するために、作業現場ではラミネートフィルムのカタログが必要である。このような作業現場に対して、本考案の磁力吸着機能付き印刷物（ラミネートフィルムのカタログ）１は、ラミネート装置４０の金属製フレーム４３の例えば側面４３ａに、その磁性シート７を吸着させることにより貼り付け可能である。
【００１７】
したがって、不使用時にはカタログ（磁力吸着機能付き印刷物）１をラミネート装置４０に貼り付けておくことで紛失のおそれがなく、また作業後にわざわざ別の場所にカタログ１を戻す手間もかからず、カタログ１の取扱いが簡便となる。また、カタログ１の保管場所を作業場とすることができるので、カタログ１の使用時、不使用時の管理が容易となり、特に、１つのカタログ１を複数の作業者が共有する場合には紛失防止に有効である。
【００１８】
［実施の形態２］
図３は本考案の磁力吸着機能付き印刷物の実施の形態２を示す背面図である。なお、実施の形態２において、実施の形態１と同一の要素には同一の符号を付し、その説明を省略する。
【００１９】
この実施の形態２の磁力吸着機能付き印刷物１０は、その印刷物本体６の矩形状の裏表紙３の外端縁に沿って矩形枠形の磁性シート１７が貼り付けられたものであり、その他の構成は実施の形態１と同様である。
このように磁性シート１７を矩形枠形とすることによって、裏表紙３の表面における表示可能な領域を増やすことができる。
【００２０】
［実施の形態３］
図４は本考案の磁力吸着機能付き印刷物の実施の形態３を示す背面図である。なお、実施の形態３において、実施の形態１と同一の要素には同一の符号を付し、その説明を省略する。
【００２１】
この実施の形態３の磁力吸着機能付き印刷物２０は、その印刷物本体６の矩形状の裏表紙３のコーナー部４箇所に三角形の磁性シート２７が貼り付けられたものである。この場合、４枚の磁性シート２７の総面積が上記実施の形態１、２に比して小さいので、磁力を補う目的で、１対の綴じ込み部５、５を磁石にて構成してもよい。
このように磁性シート２７を裏表紙３のコーナー部に配置することによって、裏表紙３の表面における表示可能な領域をより増やすことができる。
【００２２】
［実施の形態４］
図５は本考案の磁力吸着機能付き印刷物の実施の形態４を裏面側から見た斜視図である。
この磁力吸着機能付き印刷物３０は、表紙を含む複数枚のシート体がステープラ又は接着剤にて綴じ込まれて印刷物本体３６が形成された取扱い説明書であり、その裏表紙３の綴じ込み部分に沿って細長矩形状の磁性シート３７が貼り付けられている。
【００２３】
この実施の形態４によれば、磁力吸着機能付き印刷物３０を例えば印刷装置の取扱い説明書に適用すれば、印刷装置の磁性を有する部分、例えば金属製フレーム、ボディ、ケーシング等に磁性シート３７を吸着させて印刷物本体３６を貼り付けることができ、印刷物３０の管理の容易性などの上記実施の形態１と同様の効果を得ることができる。
【００２４】
［他の実施の形態］
１．磁性シートの形状は上記実施の形態１〜４のものに限定されず自由に構成することができ、例えば磁性シートを表紙のデザインの一部としてもよい。
２．上記実施の形態１〜４では、印刷物本体の表紙（裏表紙）に磁性シートを貼り付けた場合を例示したが、表紙自体を磁性シートにて構成してもよい。
３．被吸着物として実施の形態１〜４では機械装置を例示したが、これらの機械装置の外郭がプラスチックのように磁性を有さない材質から形成されている場合は、磁性を有する金属製シートやプレート等を機械装置の外郭に予め貼り付けておき、そこへ本考案の印刷物の磁力吸着部を吸着させるようにしてもよい。
【００２５】
【考案の効果】
本考案の磁力吸着機能付き印刷物によれば、被吸着物の磁性部分、例えば機械装置の金属製フレーム、ボディ、ケーシング等に磁力吸着部を吸着させて印刷物本体を貼り付けておくことができる。したがって、印刷物を、この印刷物に関わる被吸着物に貼り付けて保管しておくことができる。例えば、印刷物本体が各種フィルムのカタログである場合には、対象とする被吸着物を印刷装置やラミネート装置等の機械装置とすることができ、このような場合には不使用時にカタログを機械装置の金属製フレーム、ボディあるいはケーシングに貼り付けて保管し、作業時には印刷物を機会装置から容易に取り外して使用することができ、カタログ（印刷物）の持ち出し・保管が簡便であり、かつ置き忘れによる紛失を防止することができる。また、作業後にわざわざ別の場所にカタログを戻す手間もかからない。また、カタログの保管場所を作業場とすることができるので、カタログの使用時、不使用時の管理が容易となり、特に、１つのカタログを複数の作業者が共有する場合には紛失防止に有効である。
【図面の簡単な説明】
【図１】本考案の磁力吸着機能付き印刷物の実施の形態１を裏面側から見た斜視図である。
【図２】同実施の形態１の磁力吸着機能付き印刷物をラミネート装置に吸着させた状態を示す正面図である。
【図３】本考案の磁力吸着機能付き印刷物の実施の形態２を示す背面図である。
【図４】本考案の磁力吸着機能付き印刷物の実施の形態３を示す背面図である。
【図５】本考案の磁力吸着機能付き印刷物の実施の形態４を裏面側から見た斜視図である。
【符号の説明】
１、１０、２０、３０　磁力吸着機能付き印刷物
２　表て表紙
２、３３　裏表紙
４　シート体
５　綴じ込み具
６、３６　印刷物本体
７、１７、２７、３７　磁性シート
【図１】
0003098556.tif 000003
【図２】
0003098556.tif 000004
【図３】
0003098556.tif 000005
【図４】
0003098556.tif 000006
【図５】
0003098556.tif 000007